(57)【特許請求の範囲】
【請求項１】
正面視において多角形状を有し、正面に開口部を有する複数のラックと、
前記複数のラックを連結する１つ以上のジョイントと、
を備え、
前記ラックは、外周面に前後方向に延びるリブを有し、
前記ジョイントは、前記リブを挟持可能な挟持部を複数有し、
前記ラックは、外周面に前記前後方向と交差する方向に延びる一対の鍔部を有し、
前記リブは、前記一対の鍔部の間に位置し、
前記挟持部の厚みが前記一対の鍔部間の距離よりわずかに小さい、
ラックシステム。
【請求項２】
前記多角形状は、正六角形、正方形、および正三角形のいずれかである、
請求項１に記載のラックシステム。
【発明の詳細な説明】
【技術分野】
【０００１】
本発明は、複数のラックを備え、壁等に設置されるラックシステムに関する。
【背景技術】
【０００２】
複数のラックを備え、壁等に設置されるラックシステムが知られている。複数のラックを壁面に隙間なく並べて設置することで、壁面を収納スペースとして有効活用できる。
【０００３】
特許文献１には、ボードとコーナー連結器具とで形成された連結式六角形ボックスが開示されている。ボードとコーナー連結器具とをボルト等で連結することにより、複数の六角形ボックスが隙間なく連結された形状となる。
【先行技術文献】
【特許文献】
【０００４】
【特許文献１】特開２００５−３０５７８号公報
【発明の概要】
【発明が解決しようとする課題】
【０００５】
特許文献１に記載の発明では、ボードやコーナー連結器具が、複数のボックスで共有される。そのため、組み立て作業が煩雑となり、壁等への設置も容易ではない。
【０００６】
上記事情を踏まえ、本発明は、簡便に組み立てられ、壁等への設置も容易に行えるラックシステムを提供することを目的とする。
【課題を解決するための手段】
【０００７】
本発明は、正面視において多角形状を有し、正面に開口部を有する複数のラックと、複数のラックを連結する１つ以上のジョイントとを備えたラックシステムである。
このラックシステムにおいて、ラックは外周面に前後方向に延びるリブを有し、ジョイントは、リブを挟持可能な挟持部を複数有する。
ジョイントは、リブを挟持可能な挟持部を複数有する。
ラックは、外周面に前後方向と交差する方向に延びる一対の鍔部を有する。
リブは、一対の鍔部の間に位置し、挟持部の厚みは一対の鍔部間の距離よりわずかに小さい。
【発明の効果】
【０００８】
本発明によれば、簡便に組み立てられ、壁等への設置も容易に行えるラックシステムを提供できる。
【図面の簡単な説明】
【０００９】
【図１】本発明の一実施形態に係るラックシステムのラックを前側から見た斜視図である。
【図２】同ラックを前側から見た斜視図である。
【図３】同ラックシステムのジョイントを示す図である。
【図４】第一ジョイントにより連結されたラックの連結部位を示す図である。
【図５】第二ジョイントにより連結されたラックの連結部位を示す図である。
【図６】本発明の変形例に係るラックシステムのジョイントを示す図である。
【図７】本発明の変形例に係るラックシステムのジョイントを示す図である。
【発明を実施するための形態】
【００１０】
本発明の一実施形態について、図１から図５を参照して説明する。本実施形態のラックシステムは、複数のラックと、ラックを連結するジョイントとを備えている。
【００１１】
図１は、本実施形態に係るラック１０を前側から見た斜視図である。ラック１０は、前側に開口部を有する正面視正六角形の構造体であり、後方に位置する底板１１と、底板１１の各辺から前方に延びる６つの側板１２を備える。すなわち、ラック１０は、底板１１を底面とする略正六角筒状の形状を有する。
【００１２】
各側板１２の前端からは、フランジが底板１１と平行に延びている。各側板１２から延びたフランジは互いに接続されて前フランジ部（鍔部）１３を形成している。前フランジ部１３の外形は、底板１１より一回り大きい正六角形である。
底板１１の周縁からもフランジが延びており、前フランジ部１３と同一寸法の後フランジ部１４を形成している。
さらに、前フランジ部１３と後フランジ部１４との間であって、前フランジ部１３寄りの位置に、前フランジ部１３および後フランジ部１４と同一寸法の第二フランジ部（鍔部）１５が形成されている。前フランジ部１３、後フランジ部１４、および第二フランジ部１５は、互いに平行であり、底板１１に対して平行かつラック１０の前後方向に延びる側板１２に対して垂直である。
【００１３】
ラック１０の外周面において、底板１１の正六角形状の頂点に対応する、各側板１２の接続部位からは、ラック同士を連結する際に使用するリブ１６が突出している。各リブ１６は、ラック１０の正面視において、底板１１の正六角形の中心と、自身が突出する頂点とを結ぶ方向に延びている。各リブ１６は、前フランジ部１３と第二フランジ部１５との間と、第二フランジ部１５と後フランジ部１４との間の両方に設けられており、ラック１０の前後方向に延びている。
【００１４】
図２は、ラック１０を後側から見た斜視図である。底板１１の後側には、２つの壁掛け片２１が、底板１１と間隔を空けて底板１１と平行に設けられている。壁掛け片２１に対応した形状を有する壁掛け部材１００をネジ等で壁に固定し、壁掛け部材１００の上方からラック１０をスライドすることにより、壁掛け片２１を壁掛け部材１００に係合して、ラック１０を壁面上に設置できる。
本実施形態のラック１０においては、すべての部位が樹脂の射出成型により一体に形成されている。
【００１５】
図３に、本実施形態に係るジョイントを示す。本実施形態のラックシステムは、第一ジョイント３０および第二ジョイント４０の２種類のジョイントを備えている。
第一ジョイント３０は、略円盤状であり、等間隔に設けられた３本の溝３１を有し、リブ１６を挟持可能な挟持部３２を３つ備えている。したがって、第一ジョイント３０は、中心角１２０°の扇形３つが、中心部で一体に接続された形状を有する。
第二ジョイント４０は、中心角２４０°の扇形の板状であり、中心角６０°の位置と１８０°の位置にそれぞれ溝４１を有し、リブ１６を挟持可能な挟持部４２を２つ備えている。したがって、第二ジョイント４０は、中心角１２０°の扇形１つを２つの中心角６０°の扇形が挟んだ状態で、中心部で一体に接続された形状を有する。
【００１６】
挟持部３２、４２を含む第一ジョイント３０および第二ジョイント４０の厚みは、前フランジ部１３と第二フランジ部１５との距離よりわずかに（例えば１ｍｍ程度）小さい。また、第一ジョイント３０および第二ジョイント４０における、各扇形の半径は、リブ１６の突出長さと略等しい。
【００１７】
上記の様に構成された本実施形態のラックシステムの使用時の動作について説明する。
まず、壁掛け部材１００を用いて、上述した要領で一つ目のラック１０を壁面に設置する。
【００１８】
続いて、壁面に設置したラック１０に他のラック１０を連結する。
複数のラック１０を隙間なく配置した状態に連結する際は、第一ジョイント３０を使用する。第一ジョイント３０を前フランジ部１３と第二フランジ部１５との間に進入させて、リブ１６を溝３１内に進入させ、リブ１６と第一ジョイント３０とを係合する。
【００１９】
図４に、第一ジョイント３０による連結部位を模式的に示す。溝３１の深さとリブ１６の長さは概ね同一であるため、図４に示すように、各ラック１０Ａ、１０Ｂ、１０Ｃのリブ１６を、第一ジョイント３０の溝３１に進入させて係合することで、３つのラックをほぼ隙間なく連結することができる。必要に応じて、第二フランジ部１５と後フランジ部１４との間に別の第一ジョイント３０を配置して、連結強度を高めてもよい。
【００２０】
複数連結したラックの端部などの、ラックが２つだけ連結される部位には、第二ジョイント４０を使用する。
図５に示すように、連結対象の２つのラック１０Ｄ、１０Ｅのリブ１６を第二ジョイント４０の溝４１に進入させて係合すると、第二ジョイント４０は、ラック１０Ｄ、１０Ｅの前フランジ部１３の後に隠れて正面からは見えなくなる。第二ジョイント４０を使用することで、外観を損なわずに複数連結されたラックの周縁部の連結状態を保持できる。
【００２１】
壁掛け部材１００と係合させるラックの数は、連結するラックの総数等を考慮して適宜設定されてよい。すなわち、すべてのラックが壁掛け部材１００と係合されなくてもよい。
【００２２】
以上説明したように、本実施形態のラックシステムによれば、リブ１６を有するラック１０と、挟持部を有する第一ジョイント３０および第二ジョイント４０を備えるため、リブ１６とジョイントの挟持部とを係合させるだけで複数のラックを簡便に連結することができる。
【００２３】
また、ラック１０に設けられた前フランジ部１３および第二フランジ部１５の一対の鍔部の距離が、第一ジョイント３０および第二ジョイント４０の厚みとほぼ同一であるため、ジョイントを一対の鍔部の間に位置させてラック１０を連結すると、連結後にジョイントが前後方向に移動することがない。その結果、連結状態が安定して保持される。
【００２４】
さらに、ラック同士を連結するためのジョイントがラックに対して独立しており、ラックの一部を構成していないので、ラック１０を完成した状態で提供できる。その結果、特許文献１に記載の発明のように構造体を組み立てながら連結する必要がなく、設置及び連結を極めて簡便に行うことができ、設置後にラックの数を減らすことも極めて容易である。
【００２５】
以上、本発明の一実施形態について説明したが、本発明の技術範囲は上記実施形態の記載に限定されるものではなく、本発明の趣旨を逸脱しない範囲において各構成要素に種々の変更を加えたり、削除したりすることが可能である。以下にいくつか変更を例示するが、これらはすべてではなく、それ以外の変更も可能である。これらの変更が適宜組み合わされてもよい。
【００２６】
・本発明において、ジョイントは１種類だけでもよい。上述の実施形態では、外観が多少変化するものの第一ジョイントでもラックの周縁部の連結状態は保持できるため、第一ジョイントのみを備えてもよい。また、隙間なく連結される複数のラックが連結部位に第二ジョイントが配置され、すべて同一のジョイントで連結されなくても、連結されなかったラックが他のラックと連結される等により、全体の連結状態を保持することは可能であるため、第二ジョイントのみを備えてもよい。
【００２７】
・一対の鍔部が設けられる位置は、ラックの前後方向のいずれであってもよい。例えば、第二フランジ部１５を後フランジ部１４寄りの位置に設けて、第二フランジ部１５および後フランジ部１４を一対の鍔部としてもよいし、第三フランジ部をさらに設けて、第二フランジ部１５および第三フランジ部を一対の鍔部としてもよい。
【００２８】
・本発明に係るラックは、正面視六角形のものに限られない。正面視正方形のラックおよび正面視正三角形のラックも、本発明の構造により隙間なく連結することが可能である。図６に示すジョイント５０は、４本の溝５１を有して挟持部５２を４つ備えており、正面視正方形のラックを隙間なく連結する際に好適なジョイントの一例である。図７に示すジョイント６０は、６本の溝６１を有して挟持部６２を６つ備えており、正面視正三角形のラックを隙間なく連結する際に好適なジョイントの一例である。
【００２９】
・本発明において、ラックを壁面に取り付けるための構成は、上述した壁掛け部材１００を備えるものに限られない。公知の各種構成を、ラックを壁面に取り付けるための構成として採用できる。
【００３０】
・本発明のラックシステムにおいては、複数のラックおよびジョイントを備え、使用者が所望の連結ラックを自由に構築できる態様が典型的である。しかし、購入後にさらにラックを増やしたい等の需要に応えるために、ラックやジョイントが単体で販売されることがありうる。このような場合でも、単体で販売されるラックやジョイントは、本発明のラックシステムを構成する構成要素である。
【符号の説明】
【００３１】
１０、１０Ａ、１０Ｂ、１０Ｃ、１０Ｄ、１０Ｅ  ラック
１３  前フランジ部（鍔部）
１５  第二フランジ部（鍔部）
１６  リブ
３０  第一ジョイント
３２  挟持部
４０  第二ジョイント
４２  挟持部
５０、６０  ジョイント
５２、６２  挟持部
【要約】
【課題】簡便に組み立てられ、壁等への設置も容易に行えるラックシステムを提供する。
【解決手段】ラックシステムは、正面視において多角形状を有し、正面に開口部を有する複数のラック１０と、複数のラックを連結する１つ以上のジョイントとを備える。ラック１０は、外周面に前後方向に延びるリブ１６を有し、ジョイントは、リブ１６を挟持可能な挟持部を複数有する。
【選択図】図１【図１】
0006668547.tif 000002
【図２】
0006668547.tif 000003
【図３】
0006668547.tif 000004
【図４】
0006668547.tif 000005
【図５】
0006668547.tif 000006
【図６】
0006668547.tif 000007
【図７】
0006668547.tif 000008